(57)【要約】      （修正有）【課題】携帯・収納性、設置やメンテナンスの簡便さ等を改善し、手軽に使用でき、しかも効果的な携帯式スコアボードを提供する。【解決手段】スコア部の表示パーツはマジックテープ（登録商標）を使用して簡単着脱式にし、各回別の得点表示部はプラスチックシートに水性マジックを使用することにより、書き込み、消し去りを容易簡便なものにした。スコアや得点表示部のシートは任意の箇所で幾重にも折り畳む事ができ、短い支柱に分解できるフレーム部と一緒にキャリーケースに収納し、移動性能と保管性能を向上させた。柔軟性と復元剛性を備えた支柱は、シート部に受けた風をしなって後ろへかわすことができ、一定の風に対しての適応力を確立した。 【選択図】図１
0003137024.tif 000002
【実用新案登録請求の範囲】
【請求項１】
短い支柱ポールを繋ぎ合わせて作成した長方形のフレームの辺の長い方の一辺を、地面から若干浮くようにしフレーム全体を地面に対して直立させ、そのフレームの地面から若干浮かした辺の両端角からフレームに対して直角になるように、それぞれ左右に支柱ポールを接続パーツにより接続固定し、その左右基部支柱によって長方形フレーム部を地面に対して若干浮かして直立させる支えとする構造のフレーム部と、ストライク、ボール、アウトカウント及びチーム名と各イニングの得点、合計点をその表面に表示することを可能としたシート状のものでできているベースシート部とから成り、ベースシート部の左右辺と上辺をそれぞれ複数のマジックテープ（登録商標）などによって、長方形フレーム部の左右辺の上部と上辺とに巻きつけ固定されていることを特徴とする、野球・ソフトボール用スコアシート装置。
【請求項２】
ベースシート部上の得点を表示する部分には、書き込まれた得点数字を遠方より明確に識別するのに十分なサイズの透明のプラスチックシートを用い、ベースシート部と透明プラスチックシート部の間に白色のシートを挟み込み、3つのシートを高周波にて圧着することにより、水性マジックペンで書き込まれた得点数字を遠方より明確に認識することを可能とし、また消し取る工程も容易化、簡便化させたことを特徴とする、請求項1記載の野球・ソフトボール用スコアシート装置。
【請求項３】
適度な柔軟性と復元剛性を持ったフレーム部が、地面に展開した左右の基部支柱によってしっかりと地面に設置され、ベースシート部に受けた風を、自らがしなって後ろに逸らすような動きをすることにより、ある一定レベルの風には本体が飛ばされずに自立することを可能とした、請求項1、又は請求項２記載の野球・ソフトボール用スコアシート装置。
【請求項４】
カウントや得点を表示する機能を有したベースシート部は、任意の部分で幾重にも折り畳んで小型化することが可能であり、同様にフレーム部は短い支柱ポール部分に分解することが可能であるため、これらを一緒にケースに収納することにより小型化を実現でき、どこにでも簡単に持ち運んで設置することができ、また、使用しない場合は最小限の保管スペースで保管することを可能とした、請求項1又は請求項２，３記載の野球・ソフトボール用スコアシート装置。
【考案の詳細な説明】
【技術分野】
【０００１】
本考案は、野球・ソフトボールの試合において、十分な設備のないグラウンドでもストライク、ボール、アウトのカウントやチーム名と各回の得点、合計点を簡単に表示することのできるスコアシートの構造に関するものである。
【背景技術】
【０００２】
設備の整った野球場には立派なスコアボードが常設されており、審判員の判定内容が速やかに表示され、プレーヤーや監督・コーチのみならず、観客に対しても試合の進捗状況が的確に伝達され、試合進行の迅速化、円滑化が図られている。一方、少年野球、中学野球、草野球・草ソフトチーム等が試合を行う場合は、学校の校庭や河川敷などで行われることが一般的で、多くの場合は、満足できるスコアボードの設備が準備されていない。そのため、キャッチャーやバッターが度々審判にカウントを確認したり、2アウトなのに野手たちが上がって来てしまったりといったことに代表される光景がしばしば見うけられ、試合の円滑な進行が図れないことも多く、観戦している人たちにも臨場感が伝わりづらくなってしまっている。
【０００３】
このような環境の中でも何とか野球の試合を楽しみたいと、スコアボードに関しての様々な考案が、多くの野球人たちによってこれまでなされて来た。少年野球、中学野球、草野球・草ソフトのチーム等が学校の校庭や河川敷などで試合を行う場合、電源供給の問題や電気式スコアボードの価格的な問題などから、より簡便で実用的な商品が考案されている。電源を使用しないスコアボードの公知技術としては、下記のようなものが上げられる。
【０００４】
【特許文献１】特許公開２０００−３９８５５このスコアボードは、カウントと得点を同一ボード上に表示し、その表示方法にも電力を用いることなく、手動によって工夫を凝らした考案となっている。しかし、この商品を使用するターゲット層の需要を考えた場合には、携帯・保管性能。設置の簡便性。風に対する対策の有無。請求項３，４の7セグメント式得点表示機構や長尺シート送り出し巻き取り機構に見られる複雑な作りゆえの生産の難しさ。それによる商品コスト問題。このような複雑な機構を、ある時は風雨に打たれ、ある時は灼熱の太陽に焼かれ、土埃の舞う過酷なグラウンド環境で、果たして長く使用できるか？など、多くの問題を抱えている。  よってこの考案は、設備の十分でないグラウンドで少年野球、中学野球、草野球、草ソフトのチームが簡単に使用できる便利なスコアボードと言うには不十分である。
【０００５】
【特許文献２】実用新案公開平８−６０９このスコアボードは、現場の体験から携帯・保管性能を重視し手提げ鞄にパッキングした点で大変優れている。カウント板と各回ごとに表示できる得点板の表示方法などにも工夫を凝らしている。現場の体験から風対策も一応行っている。しかし、鞄に得点板を折り畳んで収納するという構造上、得点板の大きさが制約されてしまう。得点板への表記方法が旧来の黒板にチョーク方式であるのも、数字の見易さの観点から問題がある。鞄を横にして設置する構造上4本の収縮足が必要となり、外野手や観戦者から見やすい位置に設置しようとすると、かなりの長さの収縮足が必要になると考えられる。  風対策には重り袋を吊り下げる構造であるが、毎回この袋に砂や土を入れたり、出したりしなければならないと考えるだけで疲れてしまうし、はたしてスコアボードがうまく風から守られるのかも、心もとない。携帯性能、収納・保管性能を重視するあまり、他の機能が大きく制限を受けてしまった感がある。よってこの考案は、設備の十分でないグラウンドで少年野球、中学野球、草野球、草ソフトの選手が簡単に使用できる便利なスコアボードと言うには不十分である。
【０００６】
【特許文献３】登録実用新案第３１１６２５０
【特許文献４】特許公開２００５−１３７６２４これらのスコアボードも、それぞれにスコアボードのないグラウンドの現状を何とかしようという考えの下に考案されたものであるが、これらの考案の最大の欠点は、携帯性能、保管・収納性能を重視するあまり、得点の表示形態をサッカーやバスケットなどのように、単純に○ｘ○としてしまっていることである。どんな野球場のスコアボードも各回ごとの得点表示となっていることからも分る通り、このスコアボードの表示形態に野球というスポーツの根源が集約されているわけであり、決して単純に○ｘ○で表現できない野球というスポーツの奥深さがそこにはある。よって、これらの考案は、野球用のスコアボードの考案と言うには不十分である。
【０００７】
その他、電源を用いてスコアを表示できる本格的なスコアボードも数多く考案されているが、少年野球、中学野球、草野球・草ソフト等で、設備の十分でない何箇所かの不特定グラウンドを移動しながら野球をするという状況を考えた場合、そういったスコアボードが、何よりも価格的に、また携帯・保管性能において果たして最適なものかとなると、はなはだ疑問である。
【考案の開示】
【考案が解決しようとする課題】
【０００８】
上記のような問題点の解決を図るために，下記のような野球・ソフトボール用のスコアシートを考案した。
この野球・ソフトボール用のスコアシートは、少年野球、中学野球、草野球・草ソフト等を対象としているため、次のような条件を満たす必要がある。
１．携帯・保管性能。少年が一人で楽に持ち運べ、押入れや車の荷台に楽に収まるものが良い。
２．設置と表示の簡便さ。設置に手間取ったり、スコアを表示するのに時間がかかってはいけない。誰もが簡単に設置でき、使用できなければならない。
３．表示は大きく鮮明でなければならない。選手たちはもとより、離れた場所で観戦する観客にも、はっきり見えなければならない。
４．風に弱くてはいけない。グラウンドの大敵、それは風。特に河川敷などは風が強い。この強い風に負けて飛ばされてしまうようではいけない。
５．高価ではいけない。少年野球、中学野球、草野球・草ソフト等のチームで無理せずに購入できるような価格でなければならない。
【課題を解決するための手段】
【０００９】
本考案による課題の解決手段を以下に要約する。
これらの課題を解決するために考案された野球・ソフトボール用スコアシートは、ストライク、ボール、アウトのカウント及び各イニングの得点と合計点を表示するベースシート部（図１−Ａ）とそれを支えるフレーム部（図1−Ｂ1〜４）から成っている。ベースシート部は任意に折り畳みの可能なシート状のもの（図4−Ｃ）でできており、上辺と左右辺をそれぞれマジックテープ（登録商標）（図1−Ｄ）などによって、フレーム上辺（図1−Ｂ１）及び左右フレーム（図1−Ｂ２）に取り付け固定される。
【００１０】
ベースシート上の1部にはカウントを表示する部分（図2）が設けられ、上からＳ，Ｂ，Ｏと印刷されており、それぞれストライク、ボール、アウトのカウントがその右側に円形パーツ（図2−Ｅ）を貼付することにより表示される。貼付の方法は、ベースシート上のＳ，Ｂ，Ｏと印刷された右側部分に一定の間隔をおいて上から2個、3個、2個のマジックテープ（登録商標）の半面側（図2−Ｆ）が取り付けられており、裏側にマジックテープ（登録商標）のもう一方の半面側（図2−Ｇ）が取り付けられた円形パーツを、マジックテープ（登録商標）の面同士が合うように貼付させたり、取り外したりするものである。
ベースシート上のその他の部分には各回の得点とその合計点を表示する部分（図3）が設けられており、一番左側にチーム名、その右側に1回から9回までのそれぞれのイニング数、そして最後に計と印刷されている。それぞれの下部に対戦するチーム名、イニングごとの得点、合計点を書き込む透明のプラスチックシート（図3−Ｈ）が高周波圧着（図3−Ｉ）によりベースシートに接着されている。このとき透明のプラスチックシートとベースシートの間に白色のシートを挟み込むことにより、透明のプラスチックシートに書き込んだ数字をより鮮明に認識することができる。この透明のプラスチックシートは水性マジックにより、容易に書き込め、容易に消し去ることができるという特徴がある。黒板にチョークで書き込んだりした場合と比べると大変クリアで読み易く、しかも消し易い。
支柱から取り外したベースシート部は任意の形状に幾重にも折り畳むことができ（図4−Ｃ）、携帯・保管用のバッグ（図4−Ｊ）に容易に収納することが可能である。
【００１１】
フレーム部は、ベースシートを取り付けるフレーム上辺（図1−Ｂ１）、左右フレーム（図1−Ｂ２）そしてフレーム下辺（図１−Ｂ３）及び地面に広範に展開してこれらの支柱を支える基部支柱（図1−Ｂ４）から成っている。それぞれの支柱は短いパイプを接続して組み立てられており、組み立て及び分解はいたって簡便であり、分解して束ねれば（図4−Ｋ）携帯・保管用のバッグに容易に収めることが可能である。
【００１２】
支柱パイプは柔軟性と復元剛性を兼ね備えた素材でできており、地面に対して広範に展開した基部支柱（図1−Ｂ４）に支えられて、ベースシート部に受ける風による荷重を柔軟にしなってかわし、すぐに復元する機能を持っている（図5）。これが風に強いスコアシートの所以である。
【００１３】
カウントを表示する円形パーツや得点を記入する水性マジックは、付属の収納バッグ（図1−Ｌ−拡大図）に入れてフレーム部などに掛けて使用する。小学生の試合で実際にこのスコアシートを操作することになると予想される小学中学年の子供たちにも取り扱いはいたって簡便である。
【００１４】
装置の構造がシンプルであるため生産効率に優れ、使用している材料部材も経済的なものが主であるため、販売価格を低く抑えることが可能である。屋外で風雨に打たれ、また灼熱の太陽に焼かれ、土埃舞う過酷な使用環境にも最小のメンテナンスで長期の使用が可能な構造となっている。
【考案の効果】
【００１５】
本考案によって作成された野球・ソフトボール用スコアシートを使用して試合した場合の効果は下記のようである。
この野球・ソフトボール用スコアシートは携帯性、収納・保管性に優れているので、学校の校庭や河川敷などどこにでも簡単に持ち運ぶことができる。駐車場から遠いグラウンドの場合でも小学生が一人で楽に運ぶことができるし、狭い車の荷台や押入れの中にも楽に収納保管することができる。
【００１６】
支柱パイプ同士を差し込んで組み立てたフレーム部に、マジックテープ（登録商標）によってカウントと得点を表示するスコアシートを取り付け固定するという簡便な構造であるため、いたって簡単に小学生でも一人で組み立てたり分解したりすることができる。
また、表示作業も簡便である。透明プラスチックシート表面には好みの大きさと太さで得点を表示することができ、軽くふき取るだけで、それをきれいに消し去ることができるし、
ストライク、ボール、アウトのカウントは、マジックテープ（登録商標）により各色円形パーツを貼付することにより表示することができる。
【００１７】
組み立てられたスコアシートは、コンパクトな収納形状からは想像できないほどの大きさとなる。スコアシート装置の大きさは、少年野球で使うか草野球で使うかによっても変わってくるが、企画時点でのサイズ仕様の変更は容易に可能である。いずれにしても外野や観戦席からでもカウントや得点を容易に確認できる表示サイズということである。
【００１８】
柔軟性と復元剛性とを兼ね備えたフレーム部は風を受けたシートの荷重をしなってかわし、広範に地面に展開した基部支柱の踏ん張りによってすぐに復元する。風に逆らうのではなく、風と共存する発想であるため、時によっては幾分の自立位置の修正は必要である。
【００１９】
表示部をボードではなくシートにしたこと。表示部が軽量化されたため、それを支える支柱も簡易化されたこと。表示方法がいたってシンプルなこと。その結果、生産工程も大きく効率化が図れること。  そのためこの考案は、同等の仕事をこなす他のスコアボードに比べ、その製品コストを大きく抑えることに成功し、予算の少ないチームでも無理なく購入することが可能となった。
【００２０】
この考案によって、いままで十分なスコアボードを使用することがでず、試合の進行などに支障をきしていたチームが、試合を迅速かつ円滑に進めることが可能となった。
また、カウントや得点の詳細が分からず、いまひとつ臨場感が味わえなかった観戦している人々も、試合の詳細が分かることで、より興味を持って試合の観戦ができるようになった。
【図面の簡単な説明】
【００２１】
【図１】は、スコアシート装置全体の正面図。
【図２】は、カウント表示部の構造を説明する拡大図。
【図３】は、得点表示部の構造を説明する拡大図。
【図４】は、分解し、携帯・保管する場合の形態説明図。
【図５】は、風をしなってかわすスコアシート装置の説明図。
【符号の説明】
【００２２】
A  ベースシート
B１〜４  フレーム
C  折り畳んだベースシート
D  マジックテープ（登録商標）
E  円形パーツ
F  マジックテープ（登録商標）半面側
G  マジックテープ（登録商標）もう半面側
H  透明のプラスチックシート
I  高周波圧着
J  携帯・保管用バッグ
K  分解したフレーム
L  円形パーツ、得点記入用ペン入れ
【図１】
0003137024.tif 000003
【図２】
0003137024.tif 000004
【図３】
0003137024.tif 000005
【図４】
0003137024.tif 000006
【図５】
0003137024.tif 000007